(57)【要約】【課題】離れた位置にあるモニタ画面上のポインタ（カーソル）を、リモコン送信機の空間上の任意な動きによってスピーディかつ直感的に動かすことでさまざまな操作を可能にする。【解決手段】モニタ画面上に１または複数のコンテンツアイコン及び機器アイコンが表示されており、任意のコンテンツアイコンを任意の機器アイコンにドラッグアンドドロップすることで、該機器アイコンに対応するアプリケーションを実行させるものであって、前記ドラッグアンドドロップの操作を、リモコン送信機４０自体を上下左右に動かすことにより表示部３４ａに表示されたポインタ４を上下左右に動かすことによって行う。【選択図】図２
2007104567.tif 000002
【特許請求の範囲】
【請求項１】
遠隔操作装置により、モニタ画面上に表示されたアイコンをポインタにより選択した状態でドラッグアンドドロップすることでドロップされたアイコンに対応するアプリケーションを所定の態様で実行させるドラッグアンドドロップ機能を備えた電子機器において、
前記モニタ画面上に１または複数のコンテンツアイコン及び機器アイコンが表示されており、任意のコンテンツアイコンを任意の機器アイコンにドラッグアンドドロップすることで、該機器アイコンに対応するアプリケーションを実行させることを特徴とする電子機器。
【請求項２】
遠隔操作装置により、モニタ画面上に表示されたアイコンをポインタにより選択した状態でドラッグアンドドロップすることでドロップされたアイコンに対応するアプリケーションを所定の態様で実行させるドラッグアンドドロップ機能を備えた電子機器において、
前記モニタ画面上に１または複数のコンテンツアイコン、機器アイコン及び操作アイコンが表示されるとともに、各アイコンの設定欄が表示されており、任意のコンテンツアイコンを対応する設定欄にドラッグアンドドロップし、任意の機器アイコンを対応する設定欄にドラッグアンドドロップし、任意の操作アイコンを対応する設定欄にドラッグアンドドロップすることで、設定された各アイコンに対応するアプリケーションを実行させることを特徴とする電子機器。
【請求項３】
遠隔操作装置により、モニタ画面上に表示されたアイコンをポインタにより選択した状態でドラッグアンドドロップすることでドロップされたアイコンに対応するアプリケーションを所定の態様で実行させるドラッグアンドドロップ機能を備えた電子機器において、
前記モニタ画面上に１または複数のコンテンツアイコン及び家電機器アイコンが表示されており、家電機器アイコンが選択されると、その設置位置がモニタ画面の間取り図上に表示され、その中から操作したい家電機器アイコンを選択することを特徴とする遠隔操作装置。
【請求項４】
前記遠隔操作装置は位置検出用光信号を発光出力する発光部を備え、前記位置検出用信号を受光入力して検出した受光信号から位置信号を求める受光部が機器本体に設けられており、前記ドラッグアンドドロップの操作は、前記遠隔操作装置自体を上下左右に動かすことによりモニタ画面上のポインタを上下左右に動かすことによって行うことを特徴とする請求項１ないし請求項３のいずれかに記載の電子機器。
【請求項５】
前記遠隔操作装置の移動方向は、前記位置検出用信号の受光量によって検出することを特徴とする請求項４に記載の電子機器。
【請求項６】
前記遠隔操作装置を一度振り戻すことによって前記ポインタを最小移動単位分動かすことを特徴とする請求項４または請求項５に記載の電子機器。
【請求項７】
前記遠隔操作装置を振った方向に傾けた状態を一定時間保持することによって前記ポインタを傾けた方向に連続的に移動させることを特徴とする請求項４または請求項５に記載の電子機器。
【請求項８】
前記遠隔操作装置には、前後方向に傾倒しかつ真下に押すことができるレバーが設けられており、このレバーを真下に押すことで拡大中心を特定し、その後レバーを前方向または後方向に倒すことで画面表示を拡大または縮小させることを特徴とする請求項４または請求項５に記載の電子機器。
【請求項９】
前記レバーを使って操作対象機器を切り換えることを特徴とする請求項８に記載の電子機器。
【請求項１０】
前記レバーを使って操作対象機器の操作メニュー画面を切り換えることを特徴とする請求項８に記載の電子機器。
【請求項１１】
前記遠隔操作装置には、上下方向及び左右方向の指示を入力する十字キーが設けられており、この十字キーの上方向キーまたは下方向キーを押すことで画面表示を拡大または縮小させることを特徴とする請求項４または請求項５に記載の電子機器。
【請求項１２】
発光部から各種光信号を発光出力する遠隔操作装置を備えた電子機器において、
前記光信号を受光して受光量の変化を検出する受光検出部を備えており、テレビ放送信号を受信してモニタ画面上に表示している状態において、前記遠隔操作装置を左右方向または上下方向の一方向に振ることにより前記受光検出部で検出される受光量の変化に基づいて受信チャンネルのアップダウンを切り換えるとともに、遠隔操作装置を前記一方向とは異なる他方向に振ることにより前記受光検出部で検出される受光量の変化に基づいて音量のアップダウンを制御することを特徴とする電子機器。
【請求項１３】
発光部から各種光信号を発光出力する遠隔操作装置を備えた電子機器において、
前記光信号を受光して受光量の変化を検出する受光検出部を備えており、前記遠隔操作装置を前後方向に移動させることにより前記受光検出部で検出される受光量の変化に基づいて画面操作方法を切り換えることを特徴とする電子機器。
【請求項１４】
カメラ装置を制御可能であって、発光部から各種光信号を発光出力する遠隔操作装置を備えた電子機器において、
前記光信号を受光して受光量の変化を検出する受光検出部を備えており、前記遠隔操作装置を左右方向または上下方向に振ることにより前記受光検出部で検出される受光量の変化に基づいて前記カメラ装置の向きを左右方向または上下方向に移動させることを特徴とする電子機器。
【発明の詳細な説明】
【技術分野】
【０００１】
本発明は、発光部から各種光信号を発光出力する遠隔操作装置（リモコン送信機）を備えた、テレビジョン受像機、番組録画機、ゲーム機、テレビ電話システム、防犯カメラなどの電子機器に係り、より詳細には、離れた位置にあるモニタ画面上のポインタ（カーソル）を、リモコン送信機の空間上の任意な動きによってスピーディかつ直感的に動かすことのできる電子機器に関する。
【背景技術】
【０００２】
従来のテレビジョン受像機では、例えばチャンネル切り換えや音量調整は、リモコン送信機に配置されている所定のキーを押して操作することにより、モニタ画面上のポインタ（カーソル）を移動させて、命令名が書かれた画面上のボタンにポインタを合わせ、そこを選択することで、リモコン送信機自体を見なくても操作できるようになっている。この場合、離れた位置から画面上のポインタを操作する装置としては、リモコン送信機に付加されている十字キーやボールポイント装置、ジョイスティックなどがある。
【０００３】
一方、機器が進化するにつれて、リモコン送信機上には非常にたくさんのキーが配置され、押すべきキーを探すのが面倒になっている。さらに、キー操作が複雑になったり、複数キーを押す必要が生じたりしている。また、膨大な数の録画した番組やテレビチャンネルの中から必要なものを選択するとき、一覧から選択するのは煩雑であり、検索するにも操作が複雑であった。
【０００４】
このように、従来のリモコン操作は煩雑であり、操作の限界にきているといってもよい。そこで、このようなリモコン送信機の操作性を向上させた発明が提案されている（例えば、特許文献１，２参照）。
【０００５】
特許文献１に記載のものは、リモコン送信機がユーザによって動かされたときに、その動き方向を検出する慣性センサを備えており、その動きの方向を表わす方向信号を発生する。テレビジョン受像機は、その方向信号に応じてポインタを画面上でシフトさせることにより、所望する位置にポインタを移動できるようになっている。
【０００６】
また、特許文献２に記載のものは、画面内に表示されたアイコン等の反応領域の外にマウスカーソルがあるときに、ユーザがクリック操作を行うと、反応領域が拡大されて拡大部分が表示される。ここで、拡大部分内にマウスカーソルを移動させてクリック操作を行うと、元の反応領域に対応する処理が自動的に起動されるようになっている。
【特許文献１】特開２００５−１２４３３号公報
【特許文献２】特開平９−２５１３４１号公報
【発明の開示】
【発明が解決しようとする課題】
【０００７】
しかし、上記特許文献１に記載の発明は、リモコン送信機に慣性センサを具備する必要があり、またこの慣性センサに基づく方向信号を生成して出力する必要があるため、リモコン送信機の構造が複雑になるとともに、リモコン送信機側での信号処理も煩雑になるといった問題があった。また、上記特許文献１に記載のものは、リモコン送信機を動かすことによってポインタを移動することはできるが、移動後の処理はやはりリモコン送信機のキー操作であり、従来と何ら変わらない操作となっていた。
【０００８】
また、上記特許文献２に記載の発明によれば、マウスカーソルから離れた位置のアイコンを操作したい場合に、マウスカーソルの移動量を少なくすることができるが、拡大された反応領域に入ってから後の処理はやはりリモコン送信機のキー操作であり、従来と何ら変わらない操作となっていた。
【０００９】
本発明はかかる実情に鑑みて創案されたもので、その目的は、リモコン送信機を見なくても操作ができるようにすること、画面上のボタンに書かれている命令名を読んで操作するよりも、直感的に操作を行えるようにすること、膨大な数の録画した番組やテレビチャンネルの中から必要なものを簡単に選択すること、及びリモコン送信機上のキー数を減らすことを可能とした電子機器を提供することにある。具体的には、離れた位置にあるモニタ画面上のポインタ（カーソル）を、リモコン送信機の空間上の任意な動きによってスピーディかつ直感的に動かすことでさまざまな操作を容易にすることを可能とした光学的ポインティング装置を利用した電子機器を提供することにある。
【課題を解決するための手段】
【００１０】
上記目的を達成するため、本発明の電子機器は、遠隔操作装置により、モニタ画面上に表示されたアイコンをポインタにより選択した状態でドラッグアンドドロップすることでドロップされたアイコンに対応するアプリケーションを所定の態様で実行させるドラッグアンドドロップ機能を備えた電子機器において、前記モニタ画面上に１または複数のコンテンツアイコン及び機器アイコンが表示されており、任意のコンテンツアイコンを任意の機器アイコンにドラッグアンドドロップすることで、該機器アイコンに対応するアプリケーションを実行させることを特徴とする。
【００１１】
具体的には、モニタ画面上にテレビ、ＶＴＲ、ＤＶＤレコーダなどの録画機器や、ビデオカメラ、パソコンなどの機器アイコンを配置し、さらにコンテンツ提供媒体（地上波放送、衛星放送、ケーブルテレビ、ＤＶＤディスクなど）のコンテンツアイコンを配置する。そして、コンテンツアイコンを機器アイコンにドラッグアンドドロップすることで、例えばＤＶＤレコーダの場合には、再生、録画、予約等を行う。
【００１２】
また、本発明の電子機器は、モニタ画面上に１または複数のコンテンツアイコン、機器アイコン及び操作アイコンが表示されるとともに、各アイコンの設定欄が表示されており、任意のコンテンツアイコンを対応する設定欄にドラッグアンドドロップし、任意の機器アイコンを対応する設定欄にドラッグアンドドロップし、任意の操作アイコンを対応する設定欄にドラッグアンドドロップすることで、設定された各アイコンに対応するアプリケーションを実行させることを特徴とする。
【００１３】
具体的には、モニタ画面上にテレビ、ＶＴＲ、ＨＤＤ内蔵型ＤＶＤレコーダ、ビデオカメラ、パソコンなどの機器アイコンを配置し、またコンテンツ提供媒体（地上波放送、衛星放送、ケーブルテレビ、ＤＶＤディスクなど）のコンテンツアイコンを配置し、また再生、録画、予約等の操作アイコンを配置し、各アイコンの設定欄を配置する。そして、任意のコンテンツアイコンを対応する設定欄にドラッグアンドドロップし、任意の機器アイコンを対応する設定欄にドラッグアンドドロップし、任意の操作アイコンを対応する設定欄にドラッグアンドドロップすることで、各設定欄に設定された内容のアプリケーションを実行することができるようになっている。
【００１４】
また、本発明の電子機器は、モニタ画面上に１または複数のコンテンツアイコン及び家電機器アイコンが表示されており、家電機器アイコンが選択されると、その設置位置がモニタ画面の間取り図上に表示され、その中から操作したい家電機器アイコンを選択することを特徴とする。操作したい家電機器アイコンの選択は、例えばモニタ画面上のポインタを間取り図上の家電機器の配置位置まで移動させることで、モニタ画面に当該機器の設定画面を表示し、その設定画面で当該機器の操作情報を入力することで、他の機器の設定と区別することができる。
【００１５】
また、本発明の電子機器によれば、前記遠隔操作装置は位置検出用光信号を発光出力する発光部を備え、前記位置検出用信号を受光入力して検出した受光信号から位置信号を求める受光部が機器本体に設けられており、前記ドラッグアンドドロップの操作は、前記遠隔操作装置自体を上下左右に動かすことによりモニタ画面上のポインタを上下左右に動かすことによって行うように構成することができる。この場合、前記遠隔操作装置の移動方向は、前記位置検出用信号の受光量によって検出する。遠隔操作装置からの受光量で遠隔操作装置の向きを検出する方法としては、（１）波長の異なる２つの楕円ＬＥＤを用いる方法、（２）ＰＳＤ(Position Sensitive Ditector）を用いる方法、(３）ＬＥＤの方向を変えて点灯させ、受光量の比から検出する方法、などが考えられる。これらの方法のいずれかを用いれば、遠隔操作装置の移動方向がわかり、それに対応した位置にポインタを移動させて、機器を操作することができる。このように、遠隔操作装置自体を上下左右に動かすことでモニタ画面上のポインタを上下左右に動かすことができるので、ユーザは、遠隔操作装置に配置されているキーを見ながら操作する必要がなく、モニタ画面を見ながら直感的にポインタを操作することができる。
【００１６】
この場合、遠隔操作装置の動かし方とポインタの移動との関係としては、遠隔操作装置を一度振り戻すことによってポインタを予め設定されている最小移動単位分だけ振った方向に動かすように構成することができる。これにより、遠隔操作装置の振り方向及び振り回数と、モニタ画面上のポインタの移動方向及び移動回数とが一致するため、ユーザはモニタ画面を見ながら直感的にポインタを操作することができる。
【００１７】
また、遠隔操作装置の動かし方とポインタの移動との関係としてはこの他にも、遠隔操作装置を振った方向に傾けた状態を一定時間保持することによって、モニタ画面上のポインタを傾けた方向に連続的に移動させるように構成してもよい。これにより、ポインタの移動距離が長い場合の操作性を向上させることができる。
【００１８】
また、本発明の電子機器によれば、前記遠隔操作装置には、前後方向に傾倒しかつ真下に押すことができるレバーが設けられており、このレバーを真下に押すことで拡大中心を特定し、その後レバーを前方向または後方向に倒すことで画面表示を拡大または縮小させるように構成してもよい。このような構成とすれば、細かな文字を見る場合や字が小さくて見えにくい場合等に、必要な領域を拡大して文字を見易くすることができる。また、テレビでパソコンのＷｅｂ画面を見るような場合に、小さな文字で書かれた文章もあるので、このような場合に必要な領域を拡大できれば便利である。さらに、Ｗｅｂで地図を見ているときに拡大したり縮小したりする操作は、通常、所定の縮尺をクリックして行うが、これも直感的な方法とはいえない。これに対し、レバーを前方向に倒すと画面を拡大し、後方向に倒すと画面を縮小することで、直感的な操作が可能となる。
【００１９】
また、本発明の電子機器によれば、このレバーを使って、操作対象機器を切り換えるように構成してもよい。例えば、このレバーを使って、テレビに接続された機器、例えばＤＶＤレコーダ、デジタルカメラ、ゲーム機、地上波ＴＶ、衛星放送ＴＶ、ＰＣ、・・・などに操作画面を切り換える。このように、ＤＶＤレコーダに録画した番組、デジタルカメラで撮影した画像、ゲームなど、機器別のコンテンツを画面単位で切り換えることで、膨大なタイトルを一覧で表示してその中から必要なものを選択できるようになる。これにより、選択に必要な操作数を少なくすることができる。
【００２０】
また、本発明の電子機器によれば、このレバーを使って、操作対象機器の操作メニュー画面を切り換えるように構成してもよい。例えば、録画済み番組の検索条件切り換えの場合、このレバーを倒すことで「日付順」、「タイトル順」、「ジャンル順」のように並べ替えたり、スクロールを昇順にしたり降順にしたりできる。これは容量が非常に大きくなって録画できる番組数が膨大になっている現在のハードディスクレコーダで、自分が見たい番組を探し出すのに非常に便利な機能である。例えば、ＣＡＴＶなどの膨大なチャンネルの中から見たい番組を選択する場合、このレバーを倒すことで「チャンネル視聴頻度順」、「タイトル順」、「ジャンル順」のように並べ替えたり、スクロールを昇順にしたり降順にしたりできる。
【００２１】
また、本発明の電子機器によれば、前記遠隔操作装置には、上下方向及び左右方向の指示を入力する十字キーが設けられており、この十字キーの上方向キーまたは下方向キーを押すことで画面表示を拡大または縮小させるように構成してもよい。遠隔操作装置に十字キーが搭載されている場合、前記レバーの前後の動作を十字キーの上下に割り当てれば、十字キーのほかにレバーを搭載する必要が無く、遠隔操作装置に配置するキー数を抑えることができる。
【００２２】
また、本発明の電子機器は、発光部から各種光信号を発光出力する遠隔操作装置を備えた電子機器において、前記光信号を受光して受光量の変化を検出する受光検出部を備えており、テレビ放送信号を受信してモニタ画面上に表示している状態において、前記遠隔操作装置を左右方向または上下方向の一方向に振ることにより前記受光検出部で検出される受光量の変化に基づいて受信チャンネルのアップダウンを切り換えるとともに、遠隔操作装置を前記一方向とは異なる他方向に振ることにより前記受光検出部で検出される受光量の変化に基づいて音量のアップダウンを制御するように構成してもよい。具体的には、遠隔操作装置の移動方向の変化点で、例えば動き始めの方向が上の場合は音量を増加、下の場合は音量を減少、右の場合はチャンネルを順方向（アップ方向）に一つ変え、左の場合はチャンネルを逆方向（ダウン方向）に一つ変えるようにする。このようにすれば、リモコン送信機を見て必要なボタンを探さなくても音量の調整やチャンネルの切り換えが可能となる。
【００２３】
また、本発明の電子機器は、発光部から各種光信号を発光出力する遠隔操作装置を備えた電子機器において、前記光信号を受光して受光量の変化を検出する受光検出部を備えており、前記遠隔操作装置を前後方向に移動させることにより前記受光検出部で検出される受光量の変化に基づいて画面操作方法を切り換えるように構成してもよい。遠隔操作装置の前後の移動の検出は、例えば等方的な指向性を持つ発光素子を遠隔操作装置に搭載し、その光の受光量で行うことができる。この場合、遠隔操作装置の向きが変わっても光量はあまり変化せず、受光検出部との距離が変わったときのみ変化が生じるので、向きの変化と距離の変化を区別することができる。
【００２４】
また、本発明の電子機器は、カメラ装置を制御可能であって、発光部から各種光信号を発光出力する遠隔操作装置を備えた電子機器において、前記光信号を受光して受光量の変化を検出する受光検出部を備えており、前記遠隔操作装置を左右方向または上下方向に振ることにより前記受光検出部で検出される受光量の変化に基づいて前記カメラ装置の向きを左右方向または上下方向に移動させるように構成してもよい。このように、遠隔操作装置の向きを変えることで、カメラ装置の向きを変えることができるため、例えば遠隔操作装置に配置されている十字キーを押すことにより操作する場合に比べて、より直感的にカメラ装置を操作することができる。この技術は、テレビ電話システムに用いられているカメラ装置だけでなく、防犯カメラや監視カメラ等にも応用することができる。
【発明の効果】
【００２５】
本発明によれば、従来のような十字キーを使った遠隔操作装置による操作に比べ、より直感的かつ簡単な手順で機器を操作することができる。そのため、子供から老人まで、機器に疎い人でも、高度に進化した家電機器を思い通りに自由に使いこなすことができる。
【発明を実施するための最良の形態】
【００２６】
以下、本発明の実施の形態について図面を参照して説明する。
【００２７】
最近のテレビジョン受像機はパソコン化しており、周辺機器との接続、認識が可能になってきている。これとは逆に、パソコンがテレビ化してリビングで現在のテレビジョン受像機のように使われるようになることも考えられる。このような場合には、接続された機器のアイコンを画面上に表示させることが可能となり、さらには、画面上の機器を選択して操作する場合に、操作対象のアイコンを直接選択して操作先のアイコンにドラッグアンドドロップして操作することが可能になる。
【００２８】
図１は、このようなドラッグアンドドロップ機能を備えたテレビジョン受像機の基本構成を示すブロック図である。本実施形態に係るテレビジョン受像機の構成は特に限定されるものではないが、アナログ地上波放送や地上波デジタル放送、衛星放送等の各種放送信号を受信するアンテナ３１を備えたチューナ部３２、受信放送信号を処理して映像信号をモニタ３４に出力するとともに、音声信号をスピーカ３５に出力する信号処理部３３、受像機全体を制御する制御部３６、リモコン送信機４０からの遠隔操作用光信号を受光する受光検出部３７、各種アイコン（コンテンツアイコン、機器アイコン、操作アイコン等）を含む各種表示データを記憶しているデータ記憶部３８、１または複数の外部機器（ＤＶＤレコーダ、パソコン、デジタルカメラ、空調機等の家電機器など）との接続を行う外部接続端子群３９などを備えた構成とすることができる。なお、外部接続端子群３９の一つの端子３９ｎには、テレビ電話回線等の通信ネットワークＮを通じて相手側のネットワークカメラの制御が可能な構成となっている。
【００２９】
制御部３６は、図示は省略しているがＣＰＵ、ＲＯＭ、ＲＡＭ、ＯＳＤ回路等によって構成されている。また、制御部３６は、リモコン送信機４０により、モニタ画面上に表示されたアイコンをポインタにより選択した状態でドラッグアンドドロップすることでドロップされたアイコンに対応するアプリケーションを所定の態様で実行させるドラッグアンドドロップ機能を備えており、これらの機能を実現するための制御プログラムはＲＯＭに記憶されている。
【００３０】
本実施形態のテレビジョン受像機は、上記したように、リモコン送信機４０により、モニタ３４の画面上に表示されたアイコンをポインタにより選択した状態でドラッグアンドドロップする機能を備えているが、この場合、ドラッグアンドドロップの操作は、リモコン送信機４０自体を上下左右に動かすことにより、モニタ画面上のポインタを上下左右に動かすことによって行っている。
【００３１】
ここで、まず最初に、リモコン送信機４０を動かすことによりモニタ画面上のポインタを操作する方法の原理について説明する。本実施形態では、リモコン送信機４０からの受光量でリモコン送信機４０の向きを検出して、モニタ画面上のポインタを動かすようにしているが、このリモコン送信機４０からの受光量でリモコン送信機４０の向きを検出する方法として、（１）波長の異なる２つの楕円ＬＥＤを用いる方法、（２）ＰＳＤ(Position Sensitive Detector）を用いる方法、(３）ＬＥＤの方向を変えて点灯させ、受光量の比から検出する方法、などがある。以下、各方法について具体的に説明する。
【００３２】
（１）波長の異なる２つの楕円ＬＥＤを用いる方法
図２は、本方法を説明するための説明図であり、モニタ３４は、前面の中央部に表示部３４ａを有し、その周囲には表示部３４ａを保持する枠部３４ｂが設けられている。受光検出部３７は、枠部３４ｂの前面に配置（内蔵）されている。なお、受光検出部３７を表示部３４ａ内に設けることも可能である。
【００３３】
表示部３４ａの表示面には、カーソルとしてのポインタ４が表示されている。同図では、移動する前のポインタ４ａ、移動した後のポインタ４ｂ、ポインタ４の移動軌跡４ｃを概念的に示している。
【００３４】
リモコン送信機４０は、位置検出用光信号ＬＳｐ及び機能制御用光信号ＬＳｃを発光出力し、受光検出部３７へ送信する。受光検出部３７は、位置検出用光信号ＬＳｐを受光入力（検出）する位置検出用受光素子３７ｐと、機能制御用光信号ＬＳｃを受光入力（検出）する機能制御用受光素子３７ｃとを備えている。なお、制御方式、送信方式を工夫することにより位置検出用受光素子３７ｐと機能制御用受光素子３７ｃを兼用することも可能である。
【００３５】
リモコン送信機４０の基準軸ＢＡＸ（図２参照。）を、移動軌跡１ｃで示すように、二点鎖線で示すリモコン送信機４０ａの位置から実線で示すリモコン送信機４０ｂへと移動すると、位置検出用受光素子３７ｐが受光入力する位置検出用光信号ＬＳｐは、この移動に追従して変化する。受光検出部３７は、位置検出用光信号ＬＳｐを受光信号として検出することから、受光信号の変化を演算処理して位置信号として検出（出力）することができる。
【００３６】
従って、検出した位置信号に応じてポインタ４の表示位置を制御して移動させることができる。なお、リモコン送信機４０の基準軸ＢＡＸの移動を検出するときの検出基準をＸ軸（水平方向の移動）、これと交差する方向をＹ軸（垂直方向の移動）として示している。
【００３７】
機能制御用光信号ＬＳｃは、モニタ３４の表示機能を制御する機能制御信号に対応して発光出力（送信）される。機能制御信号は、例えばチャンネル選択信号、音量調整信号、輝度調整信号、モニタ面上のボタンのオンオフをポインタ４により行うオンオフ制御信号などである。受光検出部３７は、機能制御用受光素子３ｃが受光する機能制御用光信号ＬＳｃを機能制御信号として検出（出力）し、検出した機能制御信号に応じてモニタ３４の機能を制御する。
【００３８】
本方法では、通常利用される機能制御用光信号ＬＳｃに加えて、ポインタ４の位置を制御する位置検出用光信号ＬＳｐに対応する受光信号の演算処理をして、リモコン送信機４０の基準軸ＢＡＸの移動方向を検出することにより、基準軸ＢＡＸの移動方向に同期させてモニタ画面上のポインタ４を移動させたい位置へ簡単に移動させることができ、従来のボタン操作によるリモコン送信機に比較して、ポインタ４の位置を高速かつ円滑に移動制御することが可能となる。
【００３９】
図３及び図４は、本方法の動作原理を説明する原理説明図である。図３は、リモコン送信機４０及び受光検出部（位置検出用受光素子）３７を概念的に示す図であり、図４は、位置検出用受光素子が検出した位置検出用光信号（受光信号）の相対的光強度と基準軸変位角との相関を相対的光強度対基準軸変位角特性として示すグラフである。図４において、横軸は基準軸変位角θｓ（度）、縦軸は相対的光強度（％）である。図２と同一部分には同一符号を付して適宜説明を省略する。
【００４０】
リモコン送信機４０の受光検出部３７に対向する面に、位置検出用光信号ＬＳｐを発光出力する第１発光素子ＬＥＤａ及び第２発光素子ＬＥＤｂが実装されている。
【００４１】
第１発光素子ＬＥＤａは、リモコン送信機４０の基準軸ＢＡＸに対して交差する第１方向（図中右方向）に対応して形成された第１面１ｆａ上に配置されている。第１発光素子ＬＥＤａの光軸ＬＡＸａは、第１方向で基準軸ＢＡＸに対して第１発光素子ＬＥＤａの半値角以下の傾斜角θａを有するように実装されている。なお、半値角とは発光素子の発光強度の指向性を示し、光強度分布特性で光強度が最大値の半分になる角度である。第１発光素子ＬＥＤａの指向性は、光強度分布特性ＬＤＡａで示される。
【００４２】
第２発光素子ＬＥＤｂは、リモコン送信機４０の基準軸ＢＡＸに対して交差する第２方向（図中左方向）に対応して形成された第２面１ｆｂ上に配置されている。第２発光素子ＬＥＤｂの光軸ＬＡＸｂは、第２方向で基準軸ＢＡＸに対して第２発光素子ＬＥＤｂの半値角以下の傾斜角θｂを有するように実装されている。第２発光素子ＬＥＤｂの指向性は、光強度分布特性ＬＤＡｂで示される。
【００４３】
このように第１方向と第２方向とを適宜交差する形状とし、光軸ＬＡＸａと光軸ＬＡＸｂとをずらして構成することにより、第１発光素子ＬＥＤａからの位置検出用光信号ＬＳｐと第２発光素子ＬＥＤｂからの位置検出用光信号ＬＳｐとを分離して検出することができる。なお、第１発光素子ＬＥＤａ及び第２発光素子ＬＥＤｂの半値角（つまり傾斜角）は相互に異なっていても良い。
【００４４】
第１発光素子ＬＥＤａと第２発光素子ＬＥＤｂとを、相互に異なる発光波長を有する発光素子（例えば半導体発光ダイオード：ＬＥＤ）で構成することにより、受光検出部３７（位置検出用受光素子３７ｐ）での位置検出用光信号ＬＳｐに対応する受光信号の検出をより容易にすることができる。そのため、検出精度をさらに向上することができ、精度良く位置信号を求めることができる。例えば、一方を赤外光領域の発光波長を有する発光素子とし、他方を可視光領域の発光波長を有する発光素子とする。
【００４５】
なお、第１発光素子ＬＥＤａと第２発光素子ＬＥＤｂの発光波長を同一とした場合には発光周期をずらすなどの工夫をすれば位置検出用光信号ＬＳｐの検出精度を落とすことなく検出をすることができる。
【００４６】
基準軸変位角θｓを図３中プラス方向に変位すれば、第２発光素子ＬＥＤｂからの位置検出用光信号ＬＳｐが大きくなり、基準軸変位角θｓを図３中マイナス方向に変位すれば、第１発光素子ＬＥＤａからの位置検出用光信号ＬＳｐが大きくなる。
【００４７】
つまり、第１発光素子ＬＥＤａからの位置検出用光信号ＬＳｐ（ＬＳｐａ：図６参照）を受光入力する位置検出用受光素子３７ｐａ（図６参照）の受光信号から相対的光強度ＰＣａを求め、第２発光素子ＬＥＤｂからの位置検出用光信号ＬＳｐ（ＬＳｐｂ：図６参照）を受光入力する位置検出用受光素子３７ｐｂ（図６参照）の受光信号から相対的光強度ＰＣｂを求め、相対的光強度ＰＣａと相対的光強度ＰＣｂとのとの大小関係を比較することにより、基準軸ＢＡＸの変位（基準軸変位角θｓ）を知ることができるので、その変位を位置信号（指示信号）として出力することにより、遠隔制御が可能となる。
【００４８】
なお、受光信号は電気信号で得られるから、相対的光強度ＰＣａと相対的光強度ＰＣｂは、実際には電気信号の大小として検出することができる。つまり受光信号（出力レベル）の大きさを比較することで位置信号を求めることになる。
【００４９】
図４で基準軸変位角θｓが「０」の場合、つまり図３に示す状態の場合には、位置検出用受光素子３ｐが検出する第１発光素子ＬＥＤａからの相対的光強度ＰＣａと第２発光素子ＬＥＤｂからの相対的光強度ＰＣｂがほぼ等しいものになる。なお、同図の数値は例示である。
【００５０】
基準軸変位角θｓを「プラス」方向とした場合、つまりリモコン送信機４０を図３において右方向へずらしていくと、位置検出用受光素子３７ｐａが検出する相対的光強度ＰＣａは徐々に減少し、位置検出用受光素子３７ｐｂが検出する相対的光強度ＰＣｂは徐々に増加する。更に、基準軸変位角θｓが第２発光素子ＬＥＤｂの傾斜角θｂに等しくなると、第２発光素子ＬＥＤｂが位置検出用受光素子３７ｐ（３７ｐｂ）の正面に来ることから相対的光強度ＰＣｂは光強度分布特性ＬＤＡｂに従って最大となる。
【００５１】
基準軸変位角θｓを「マイナス」方向とした場合、つまり光学式指示装置１を図３において左方向へずらしていくと、位置検出用受光素子３ｐａが検出する相対的光強度ＰＣａは徐々に増加し、位置検出用受光素子３７ｐｂが検出する相対的光強度ＰＣｂは徐々に減少する。更に、基準軸変位角θｓが第１発光素子ＬＥＤａの傾斜角θａに等しくなると、第１発光素子ＬＥＤａが位置検出用受光素子３７ｐ（３７ｐａ）の正面に来ることから相対的光強度ＰＣａは光強度分布特性ＬＤＡａに従って最大となる。
【００５２】
このような相対的光強度ＰＣａ、ＰＣｂの大小関係を比較演算することにより、基準軸ＢＡＸの指示方向（移動方向、位置信号）を知ることができるので、この指示方向（指示方向の変化）を用いて表示部３４ａに表示されているポインタ４の移動を制御することができる。なお、相対的光強度ＰＣａ、ＰＣｂは、両者の相違が検出できる程度の相違があれば良く、所定範囲の相違であれば演算処理で適宜補正することができる。つまり、光強度分布特性ＬＤＡａと光強度分布特性ＬＤＡｂは、同等であることが好ましいがこれに限るものではない。また、半値角θａと半値角θｂとは、同等であることが好ましいがこれに限るものではない。
【００５３】
なお、図３では位置検出用受光素子３７ｐとして１個のみを示しているが、上述したとおり、第１発光素子ＬＥＤａに対応させて位置検出用受光素子３７ｐａ、発光素子ＬＥＤｂに対応させて位置検出用受光素子３７ｐｂを設けておくことにより、相対的光強度ＰＣａと相対的光強度ＰＣｂとを分離して個別に検出することが容易となる。
【００５４】
図３及び図４の原理説明図では、例えば左右方向での位置検出が可能なことを例示した。左右方向に加えて上下方向の検出、制御を合わせて行うことにより、ポインタ４のＸ軸、Ｙ軸平面（２次元の表示面）上での位置を制御することができる。
【００５５】
図５は、本実施形態に係るリモコン送信機４０での発光用パルス信号の波形例を示す波形図である。
【００５６】
リモコン送信機４０の駆動部（不図示）は、発光用パルス信号を第１発光素子ＬＥＤａ及び第２発光素子ＬＥＤｂそれぞれに印加する。第１発光素子ＬＥＤａ及び第２発光素子ＬＥＤｂは、発光用パルス信号に応じて相互に異なる発光波長の位置検出用光信号ＬＳｐを発光出力し、受光検出部３７（位置検出用受光素子３７ｐ）へ送信する。
【００５７】
発光用パルス信号は位置検出用パルスＰｐ１、Ｐｐ２、Ｐｐ３と位置検出用パルスＰｐ１の前に発生する検出開始用パルスＰｓとで構成される。同一のパルス幅と周期を有する位置検出用パルスＰｐ１、Ｐｐ２、Ｐｐ３を複数個繰り返して発生させることにより、安定した位置検出用光信号ＬＳｐを発光出力することができるので確実な位置検出が可能となる。
【００５８】
また、位置検出用パルスＰｐ１、Ｐｐ２、Ｐｐ３、及び検出開始用パルスＰｓには、通常用いられる１０ｋＨｚないし４０ｋＨｚ程度の変調搬送波ｆｃが重畳されている。変調搬送波ｆｃを重畳することにより、外乱光（ノイズ）による検出エラーを防止することができる。
【００５９】
位置検出用パルスＰｐ１、Ｐｐ２、Ｐｐ３は、それぞれ同一の周期である位置検出用パルス単周期Ｔｐを有する。また、位置検出用パルスＰｐ１、Ｐｐ２、Ｐｐ３は、これら３個のパルスを含む全体で位置検出用パルス群周期（センシング周期）Ｔｐｔを有する。位置検出用パルス単周期Ｔｐは、例えば１ｍｓ（ミリ秒）程度であり、位置検出用パルスＰｐ１、Ｐｐ２、Ｐｐ３が発生する期間（位置検出用パルス単周期Ｔｐでのオン状態の期間）は位置検出用パルス単周期Ｔｐの半分（０．５ｍｓ程度）としている。３個のパルス（Ｐｐ１、Ｐｐ２、Ｐｐ３）を発生した後、２個のパルスに相当する期間の無信号期間Ｔｐｎを設けてあるので、位置検出用パルス群周期（センシング周期）Ｔｐｔは５ｍｓ程度となる。
【００６０】
位置検出用パルス群周期（センシング周期）Ｔｐｔの前に、検出開始用パルス周期Ｔｓの検出開始用パルスＰｓを発生させる。検出開始用パルス周期Ｔｓは例えば２ｍｓ程度としている。検出開始用パルスＰｓが発生する期間（検出開始用パルス周期Ｔｓでのオン期間）は、検出開始用パルス周期Ｔｓの半分（１ｍｓ程度）としている。検出開始用パルスＰｓにより、受光検出部３７での位置検出用光信号ＬＳｐの検出動作を開始させることができ、検出機能の制御性を向上することができる。
【００６１】
上述した程度の周期のパルスは通常のリモートコントローラ（機能制御信号を発生する遠隔制御装置）にも用いられることから、回路としても、部品としても特殊なものは不要であり、容易に構成することができる。また、電子回路を用いて光学的に位置信号の送信、受信を行うことから、機械的な遠隔制御による位置制御に比較してポインタ４の移動を円滑かつ迅速に行うことができる。
【００６２】
図６は、受光検出部３７の回路構成を示すブロック図である。
【００６３】
受光検出部３７は、受光入力した位置検出用光信号ＬＳｐの光強度（振幅値）を第１受光回路３７ａ、第２受光回路３７ｂにより検出し、検出した光強度を演算処理部３７ｄで演算処理することにより位置信号を求め、位置信号を出力して表示部３４ａに表示されたポインタ４の位置を移動制御する。
【００６４】
なお、第１発光素子ＬＥＤａ及び第２発光素子ＬＥＤｂの発光波長が異なることから、第１発光素子ＬＥＤａからの発光出力は位置検出用光信号ＬＳｐａとし、第２発光素子ＬＥＤｂからの発光出力は位置検出用光信号ＬＳｐｂとして適宜区別する。
【００６５】
第１受光回路３７ａは、第１発光素子ＬＥＤａから発光出力された位置検出用光信号ＬＳｐａを選択する波長選択特性を有する光学フィルタ３７ｆａ、光学フィルタ３７ｆａを通過した位置検出用光信号ＬＳｐａを受光して受光信号（発光用パルス信号に対応する受光パルス信号。以下、受光「パルス」信号と明記する必要が無い場合には単に受光信号という。）を検出する位置検出用受光素子３７ｐａ、位置検出用受光素子３７ｐａが検出した受光信号を増幅する増幅回路３７１ａ、増幅回路３７１ａが増幅した受光信号から所定の周波数のみ通過させてノイズを低減するバンドパスフィルタ３７２ａ、バンドパスフィルタ３７２ａから出力された受光信号の振幅値（光強度、相対的光強度、出力レベル）を検出する振幅値検出回路３７３ａ、増幅回路３７１ａの増幅率を調整する自動利得制御回路（ＡＧＣ）３７４ａにより構成されている。
【００６６】
第２受光回路３７ｂは、第２発光素子ＬＥＤｂから発光出力された位置検出用光信号ＬＳｐｂを選択する波長選択特性を有する光学フィルタ３７ｆｂ、光学フィルタ３７ｆｂを通過した位置検出用光信号ＬＳｐｂを受光して受光信号（受光パルス信号）を検出する位置検出用受光素子３７ｐｂ、位置検出用受光素子３７ｐｂが検出した受光信号を増幅する増幅回路３７１ｂ、増幅回路３７１ｂが増幅した受光信号から所定の周波数のみ通過させてノイズを低減するバンドパスフィルタ３７２ｂ、バンドパスフィルタ３７２ｂから出力された受光信号の振幅値（光強度、相対的光強度、出力レベル）を検出する振幅値検出回路３７３ｂ、増幅回路３７１ｂの増幅率を調整する自動利得制御回路（ＡＧＣ）３７４ｂにより構成されている。
【００６７】
位置検出用受光素子３７ｐａ及び位置検出用受光素子３７ｐｂは、例えばフォトダイオード、またはフォトトランジスタで構成することができる。光学フィルタ３７ｆａ及び光学フィルタ３７ｆｂを用いることから、同一仕様の素子を用いることができる。なお、光学フィルタ３７ｆａ及び光学フィルタ３７ｆｂを用いずに、位置検出用受光素子３ｐａ及び位置検出用受光素子３ｐｂ自体に波長選択特性を持たせることも可能である。
【００６８】
光学フィルタ３７ｆａ及び光学フィルタ３７ｆｂは、波長選択特性を有することから、赤外光領域の位置検出用光信号ＬＳｐと可視光領域の位置検出用光信号ＬＳｐを確実に分離して、それぞれ個別のデータ（受光信号、受光パルス信号）として検出する。例えば、第１発光素子ＬＥＤａの発光波長領域が赤外光領域であるとすれば、光学フィルタ３７ｆａは赤外光領域の波長を通過させる波長選択特性とし、赤外光領域の位置検出用光信号ＬＳｐａを検出し、第２発光素子ＬＥＤｂの発光波長領域が可視光領域であるとすれば、光学フィルタ３７ｆａは可視光領域の波長を通過させる波長選択特性とし、可視光領域の位置検出用光信号ＬＳｐｂを検出する構成とする。
【００６９】
自動利得制御回路３７４ａ、３７４ｂは、バンドパスフィルタ３７２ａ、３７２ｂから出力された受光信号の振幅値の最大値を検出して、増幅回路３７１ａ、３７１ｂで受光信号の振幅値（の最大値）が飽和しないように増幅率を調整する。振幅値（の最大値）が飽和しないことから、検出精度が高く、安定性、信頼性の高い受光信号（受光信号レベル）を得ることができる。
【００７０】
特に、検出開始用パルス周期Ｔｓでの検出開始用パルスＰｓに対応して検出される受光パルス信号の振幅値（の最大値）を検出して増幅率の調整を行うことにより増幅率の調整を迅速に行うことができる。また、別途増幅率調整用パルス信号（不図示）を生成して対応する発光用パルス信号を発光出力し、対応する受光パルス信号の振幅値を検出して調整することもできる。
【００７１】
振幅値検出回路３３ａ、３３ｂそれぞれで検出した受光信号の振幅値（光強度）を演算処理部３７ｄで適宜演算処理することにより、位置信号を求め、演算処理部３７ｄから表示部３４ａに位置信号（位置制御信号）として出力することによりポインタ４の位置を制御することができる。演算処理部３７ｄは、通常用いられるＣＰＵなどにより構成することができる。
【００７２】
演算処理部３７ｄでの演算処理は、第１受光回路３０ａで求めた受光信号の振幅値と第２受光回路３０ｂで求めた受光信号の振幅値との差を求める演算、比を求める演算、または差及び比の組み合わせによる演算とすることができる。
【００７３】
受光検出部３７は、さらにモニタ３４（表示部３４ａ）の機能を制御する機能制御信号に対応して第３発光素子ＬＥＤｃから発光出力された機能制御用光信号を受光入力する第３受光回路（不図示）を備えている。第３受光回路は、受光入力した機能制御用光信号を周知の信号変換により機能制御信号として出力し、演算処理部３７ｄなどを用いてモニタ３４（表示部３４ａ）の機能を制御する。第３受光回路は、機能制御用受光素子３７ｃ（図２参照）により機能制御用光信号を受光することができる。
【００７４】
（２）ＰＳＤ(Position Sensitive Detector）を用いる方法
図７は、本方法を説明するためのリモコン送信機４０とモニタ３４とを示す説明図であり、図８は受光素子の配列を示す正面図、図９は受光部側のブロック図、図１０はＰＳＤの検出原理を示す断面図である。
【００７５】
図７に示すリモコン送信機４０は、例えば赤外光を発光する発光素子２１を備える光学的操作装置としてのポインティング装置であり、モニタ３４には受光素子としてのＰＳＤ５１が設けられている。
【００７６】
このＰＳＤ５１は、図１０に示すように、平板状シリコンの表面にＰ層を、裏面にＮ層を、中間にＩ層を形成したもので、スポットの光Ｌが入射すると、入射位置に光エネルギーに比例した電荷が発生し、発生した電荷が光電流として抵抗層（Ｐ層）を通り、ＰＳＤ５１の両端に設けられた電極５２ａ、５２ｂから電流Ｉａ，Ｉｂとして分割して出力されるようになっている。
【００７７】
Ｐ層は全面に均一な抵抗値を持つように構成されているため、電流Ｉａ，Ｉｂは入射位置から電極５２ａ，５２ｂまでの距離、すなわち抵抗値に逆比例した割合で分割して出力される。ここで、電極５２ａ，５２ｂ間の距離（有効受光部の長さ）を２ｙ、光Ｌが入射した位置をＰＳＤ５１の中心Ｏから距離ｘとすると、次の関係式が成立する。
【００７８】
（Ｉb−Ｉa）／（Ｉa＋Ｉb）＝ｘ／ｙ・・・（１）
従って、（１）式から電流Ｉａ，Ｉｂの差及び和を求めることにより、入射する光Ｌの入射位置ｘを求めることができる。
【００７９】
ＰＳＤ５１の前方には、図１１に示すように、スリット６を有する遮蔽壁１３が設けられている。ＰＳＤ５１の前方に遮蔽壁１３を設けることにより、スリット６を通過する光Ｌがスポットとなり方向が限定できる。発光素子の発光点Ｈが移動すると、スリット６を通過した光ＬのＰＳＤ５１上の受光位置も移動する。従って、ＰＳＤ５１上の受光位置の変化を検出すれば、発光点Ｈの位置の変化も検出できる。なお、スリット６を有する遮蔽壁１３に代えてレンズを使用することも可能である。
【００８０】
このＰＳＤ５１を、モニタ３４の表示部３４ａと平行な面内の水平方向及び垂直方向の２軸用意することにより、発光点Ｈの２次元の移動を検出できる。受光位置の移動をモニタ３４の表示部３４ａ上に表されたマークとしてのポインタ４の移動に反映させて発光点Ｈを移動させれば、表示部３４ａ上のポインタ４を任意の方向に移動させることができる。ＰＳＤ５１は、例えば、図８（ａ）に示すように、矩形状の２次元用のＰＳＤ５１に、水平方向の電極５２ａ、５２ｂと、垂直方向の電極５２ｃ、５２ｄを設けたものである。また、ＰＳＤ５１は、図８（ｂ）に示すように、水平方向に配置された帯状のＰＳＤ５１Ａと、垂直方向に配置された帯状のＰＳＤ５１Ｂとが直角に配置して構成されているものである。
【００８１】
次に、前記モニタ３４側に設けられる受光検出部３７の一例を、図９に示すブロック図を参照しながら説明する。図９において、ＰＳＤ５１を、便宜上ＰＳＤ５１ＡとＰＳＤ５１Ｂとに分けて図示するが、図８（ａ）に示した単体のＰＳＤも含む。
【００８２】
受光検出部３７は、前記ＰＳＤ５１Ａ、５１Ｂと、処理回路５３と、制御装置５７とを備えている。処理回路５３は、増幅器５３１とリミッタ５３２とバンドパスフィルタ５３３とが半導体チップ上に集積化された電子デバイスからなるものである。遮蔽壁１３のスリット６を通過してそれぞれのＰＳＤ５１Ａ、５１Ｂに入射した光Ｌは、光電変換されてＰＳＤ５１Ａ、５１Ｂの両端に設けた電極５２ａ、５２ｂ、５２ｃ、５２ｄから電流Ｉａ、Ｉｂ、Ｉｃ、Ｉｄとして分割して出力される。出力電流はそれぞれ増幅器５３１で増幅され、リミッタ５３２で波形整形され、バンドパスフィルタ５３３で所定の周波数のみの制御信号として出力され、制御信号は制御装置５７に送信される。
【００８３】
このように、処理回路５３で信号処理することにより、モニタ３４側に設置されたＰＳＤ５１でポインタ移動用信号と、通常のリモコンのコード信号（例えばテレビジョン受像機を制御する場合は、電源のオン／オフ、音量の上下、チャンネルの切り替え等の制御信号が含まれている。）の両方の信号を処理可能としている。
【００８４】
リモコン送信機４０には、モード切換え手段としての移動ボタン１５が設けられている。チャンネルを選択したり、音声ボリュームを調節したりするような通常のリモコン操作では、応答速度としては現行のものでも十分であるが、ポインタ４の移動においては、リモコンコードでは直接的な操作感が得られない。そこで、ポインタ４を移動させる場合には、移動ボタン１５を押し、それと同時に発光素子２１からリモコンのコード信号よりも速い変調のポインタ移動用信号を送る。そうすることにより、リモコンのコードほどの送信時間が不要にできて、リモコン送信機４０の動きを直接的にポインタ４の移動に反映させることができる。
【００８５】
また、受光検出部３７には、モニタ３４側とリモコン送信機４０側（発光素子と受光素子）との間の距離を検出する距離検出手段１２（図９参照）が設けられている。具体的には、ＰＳＤ５１の前方に設けられた遮蔽壁１３のスリット６が、入射する光Ｌの方向を限定するため、発光点Ｈが移動すると、スリットを通過した光のＰＳＤ５１上の受光位置も移動する（図１１参照）。従って、ＰＳＤ５１上の受光位置の変化を検出すれば、発光点Ｈの位置の変化も検出できる。発光点Ｈの移動をＰＳＤ５１で検出するが、発光点Ｈの移動範囲とスリット位置とで形成される三角形と、ＰＳＤ５１上の受光範囲とスリット位置でできる三角形は相似の関係になる。
【００８６】
従って、発光点Ｈの移動量αが同じ場合、発光点Ｈとスリット６位置（＝画面位置）が近い場合はＰＳＤ５１上の受光位置の移動範囲β１は大きくなり（図１２（ａ）参照）、逆に発光点Ｈとスリット６位置が遠い場合はＰＳＤ５１上の受光位置β２の移動範囲は小さくなる（図１２（ｂ）参照）。通常は、ＰＳＤ５１上の受光位置の移動量に比例した量だけ画面上のポインタ４を動かすことになるので、このままだと表示部３４ａと発光点Ｈとの距離が相違するとポインタ４を表示部３４ａ上で同じ距離移動させるために発光点Ｈの移動量が変わってしまう。または発光点Ｈの移動量は同じでも、表示部３４ａとの距離によってポインタ４の移動量が異なってしまう。
【００８７】
このような振る舞いは決して使い勝手のよいものとはいえない。これを解決するためには、ＰＳＤ５１（表示部３４ａ）と発光点Ｈの距離を検出して、その距離でポインタ移動量を補正して調整する必要がある。例えば、発光点ＨのＰＳＤ５１に対する移動可能距離を０．５ｍ〜５ｍとするとき、距離５ｍの時のＰＳＤ５１の分解能が最小分解能であり、それは距離０．５ｍのＰＳＤ分解能の１／１０になる。従って、距離が０．５ｍのときは、ｐｓｄ上で最小分解能の１０倍、受光位置が移動したときにポインタ４を1単位移動させればよい。
【００８８】
上述のようにＰＳＤ５１の出力は２つの電極に流れる電流であり、通常ＰＳＤ５１にて発光点Ｈの移動量を検出するときは、出力電流の差を出力電流の和で除算して、総受光量に依存しないようにしている。本方法は、ＰＳＤ５１と発光点Ｈとの距離が遠い場合は出力電流の和が小さくなり、近い場合は出力電流の和が大きくなることを利用して、発光点ＨとＰＳＤ５１との距離を検出すべく、前記距離検出手段１２が設けられている。この距離検出手段１２は、出力電流の和の値に基づいて前記距離を検出する。その距離情報が制御装置５７に送信され、制御装置４７は、送信された距離情報に基づいて、発光点Ｈと表示部３４ａとの距離とは無関係に（リモコン送信機４０がモニタ３４に対して任意に離れていても）、発光点Ｈの移動量に対応してポインタ４が所定量移動するように、その移動量を補正し調整する。
【００８９】
（３）ＬＥＤの方向を変えて点灯させ、受光量の比から検出する方法
本方法を説明するための説明図は、上記（１）の方法で使用した図２に示す説明図と同じであるため、ここでは図２に示す説明図の内容説明を省略する。
【００９０】
図１３ないし図１７は、本方法に係るリモコン送信機４０（位置検出用の発光素子）の変位位置の態様を説明する説明図である。
【００９１】
図１３は、リモコン送信機４０の基準軸ＢＡＸと位置検出用の発光素子１６の光軸ＬＡＸが一致している（発光素子１６の光軸が中性点位置Ｄｎにある）場合を示す説明図であり、同図（ａ）は、受光検出部３７（受光素子３７ｐ）の側から見た（つまり正面視）状態でのリモコン送信機４０の要部を示す正面図、同図（ｂ）は、同図（ａ）の矢符Ｘ−Ｘでの要部を示す側面透視図である。なお、（ｂ）では、受光検出部３７（位置検出用受光素子３７ｐ）を参考に記載している。
【００９２】
リモコン送信機４０の基準軸ＢＡＸは、通常、リモコン送信機４０（発光素子１６の中心）から受光検出部３７（位置検出用受光素子３７ｐ）に向けられる。ポインタ４の位置制御をするときは、移動させたいポインタ４の制御（移動方向、移動量）に対応させて基準軸ＢＡＸを位置検出用受光素子３７ｐの中心に対して左右上下に基準軸変位角θｓとして適宜変位した状態で発光素子１６から位置検出用光信号ＬＳｐを発光出力する。なお、基準軸ＢＡＸは、光学式指示装置１（発光素子１６）を受光検出部３７に正対させたときにリモコン送信機４０が構成する仮想線（指示方向）である。
【００９３】
位置検出用受光素子３７ｐで受光入力する位置検出用光信号ＬＳｐ（つまり受光信号）は、基準軸ＢＡＸの変位（基準軸変位角θｓ）に応じて変化することから、位置検出用受光素子３７ｐが受光入力する受光信号を検出し、適宜演算処理して位置信号（位置制御信号）を求め、ポインタ４の移動制御を行う。
【００９４】
リモコン送信機４０の正面（受光検出部３７に対向する面）の中央機構部４０ｍに発光素子１６が配置されている。発光素子１６は、例えば基板部１６ａ上に載置された発光ダイオード（ＬＥＤ）チップ１６ｂ、及び表面を覆う凸レンズ状の樹脂レンズ部１６ｃによって構成されている。発光素子１６の基板部１６ａには発光素子１６の光軸方向を制御する光軸制御部６が連接して設けられている。
【００９５】
光軸制御部６は、変位中心Ｐｒを中心にして発光素子１６の光軸ＬＡＸの変位方向（変位位置）を機構的に制御（制御の例を図１４ないし図１７に示す）することができるように、例えば適宜の歯車、円環レールなどの機構部品を組み合わせて構成している。円環レールのような回転体を用いた場合には、基準軸ＢＡＸを中心とする逆円錐状に光軸ＬＡＸを変位させることができる。また、回転体のような機構部品を用いた場合には、比較的容易に光軸ＬＡＸの変位位置を制御することができる。また、基準軸ＢＡＸ（変位中心Ｐｒ）を中心に回転（傾斜）して光軸ＬＡＸを変位させるようにした反射物（図示省略）などを用いることも可能である。
【００９６】
発光素子１６は発光強度分布特性ＬＤＣを有する。利用環境の状況（例えばリモコン送信機４０とモニタ３４との距離など）に応じて適宜の光強度と指向性を有するものを選択することができる。
【００９７】
発光素子１６は赤外光領域の発光波長で発光出力することが好ましい。赤外光領域の発光波長とすることにより、外乱光（ノイズ）による影響を排除することができるので、検出精度を向上することができる。
【００９８】
図１４は、発光素子１６の光軸ＬＡＸが光学式指示装置１の基準軸ＢＡＸに対して正面視水平・左側方向（変位位置Ｄ１）で傾斜角θｄ１となるように発光素子１６を変位させた場合を示す説明図であり、同図（ａ）は、受光検出部３７（受光素子３７ｐ）の側から見た（つまり正面視）状態でのリモコン送信機４０の正面図、同図（ｂ）は、同図（ａ）の矢符Ｘ−Ｘ（リモコン送信機４０の水平方向（第１方向）に対応）での要部透視図である。なお、位置検出用受光素子３７ｐを参考に記載している。また、「発光素子１６の変位」は、「発光素子１６の光軸ＬＡＸの変位」と実質的に同義である。
【００９９】
変位位置Ｄ１（傾斜角θｄ１）は、光軸制御部６により変位中心Ｐｒを中心にして発光素子１６を適宜回転させることにより実現することができる。傾斜角θｄ１は検出精度を向上するためには半値角θｈ以下であることが好ましい。なお、半値角θｈとは、発光素子の発光強度の指向性を示し、光強度分布特性で光強度が最大値の半分になる点の光軸からの角度である。つまり、半値角θｈ以下とすることにより、指向性の良い位置検出用光信号ＬＳｐとすることができるので、受光検出部３７（位置検出用受光素子３７ｐ）で確実な受光入力ができ、精度良く位置検出用光信号を検出することができることから、精度の良い遠隔制御を実現することができる。
【０１００】
図１５は、発光素子１６の光軸ＬＡＸがリモコン送信機４０の基準軸ＢＡＸに対して正面視垂直・上側方向（変位位置Ｄ２）で傾斜角θｄ２となるように発光素子１６を変位させた場合を示す説明図であり、同図（ａ）は、受光検出部３７（受光素子３７ｐ）の側から見た（つまり正面視）状態でのリモコン送信機４０の正面図、同図（ｂ）は、同図（ａ）の矢符Ｙ−Ｙ（リモコン送信機４０の垂直方向（第１方向と垂直に交差する第２方向）に対応）での要部透視図である。なお、位置検出用受光素子３７ｐを参考に記載している。
【０１０１】
変位位置Ｄ２（傾斜角θｄ２）は、光軸制御部６により変位中心Ｐｒを中心にして発光素子１６を適宜回転させることにより実現することができる。傾斜角θｄ２は検出精度を向上するためには半値角θｈ以下であることが好ましい。
【０１０２】
図１６は、発光素子１６の光軸ＬＡＸがリモコン送信機４０の基準軸ＢＡＸに対して正面視水平・右側方向（変位位置Ｄ３）で傾斜角θｄ３となるように発光素子１６を変位させた場合を示す説明図であり、同図（ａ）は、受光検出部３７（受光素子３７ｐ）の側から見た（つまり正面視）状態でのリモコン送信機４０の正面図、同図（ｂ）は、同図（ａ）の矢符Ｘ−Ｘでの要部透視図である。なお、位置検出用受光素子３７ｐを参考に記載している。
【０１０３】
変位位置Ｄ３（傾斜角θｄ３）は、光軸制御部６により変位中心Ｐｒを中心にして発光素子１６を適宜回転させることにより実現することができる。傾斜角θｄ３は検出精度を向上するためには半値角θｈ以下であることが好ましい。なお、光軸ＬＡＸの制御を容易にし、検出精度を向上するために、変位位置Ｄ３は、基準軸ＢＡＸを中心として変位位置Ｄ１と対称位置に設けることが好ましい。
【０１０４】
図１７は、発光素子１６の光軸ＬＡＸが光学式指示装置１の基準軸ＢＡＸに対して正面視垂直・下側方向（変位位置Ｄ４）で傾斜角θｄ４となるように発光素子を変位させた場合を示す説明図であり、同図（ａ）は、受光検出部３７（受光素子３７ｐ）の側から見た（つまり正面視）状態でのリモコン送信機４０の正面図、同図（ｂ）は、同図（ａ）の矢符Ｙ−Ｙでの要部透視図である。なお、位置検出用受光素子３７ｐを参考に記載している。
【０１０５】
変位位置Ｄ４（傾斜角θｄ４）は、光軸制御部６により変位中心Ｐｒを中心にして発光素子１６を適宜回転させることにより実現することができる。傾斜角θｄ４は検出精度を向上するためには半値角θｈ以下であることが好ましい。なお、光軸ＬＡＸの制御を容易にし、検出精度を向上するために、変位位置Ｄ４は、基準軸ＢＡＸを中心として変位位置Ｄ２と対称位置に設けることが好ましい。
【０１０６】
図１４ないし図１７に示したように、変位位置を４箇所とすることにより、２次元での位置検出を行うことができるので、確実な位置制御が可能となる。また、変位位置Ｄ１ないしＤ４（傾斜角θｄ１ないしθｄ４）は基準軸ＢＡＸに対して相互に対称となるように配置することが検出精度を向上し、演算処理を簡略化するためには好ましい。なお、変位位置を４箇所としたがこれに限るものではない。変位位置を増やすことにより、更に検出精度を向上することができる。
【０１０７】
光軸制御部６の機構動作により、発光素子１６の光軸ＬＡＸが変位位置Ｄ１→変位位置Ｄ２→変位位置Ｄ３→変位位置Ｄ４と回転する形態とすることにより制御機構を簡略化することができる。
【０１０８】
図１８は、本方法に係る基準軸変位角を検出する原理を説明するための説明図であり、位置検出用受光素子が検出した位置検出用光信号（受光信号）の相対的光強度と基準軸変位角との相関を相対的光強度対基準軸変位角特性として示すグラフである。同図において、横軸は基準軸変位角θｓ（度）であり、縦軸は相対的光強度（％）である。なお、簡単のため、傾斜角θｄ１、θｄ２、θｄ３、θｄ４は発光素子５の半値角θｈに等しく、半値角θｈは３０度であるとする。
【０１０９】
光軸制御部６により発光素子１６の光軸ＬＡＸを変位位置Ｄ１に制御（変位）した状態（図１４参照）では、相対的光強度対基準軸変位角特性は曲線ＣＤ１で示すグラフのようになる。
【０１１０】
つまり、基準軸変位角θｓが「０度」の場合、位置検出用受光素子３７ｐが検出する受光信号（発光素子１６からの位置検出用光信号ＬＳｐに対する受光量）の相対的光強度は、５０％となる。また、基準軸変位角θｓを「０度」から「プラス」方向に変位した場合、つまりリモコン送信機４０をプラス方向へ変位すると、光軸ＬＡＸが位置検出用受光素子３７ｐの正面方向に近づくことから、相対的光強度は徐々に大きくなる。基準軸変位角θｓが「３０度」（半値角θｈ）の方向に変位すると、光軸ＬＡＸは位置検出用受光素子３７ｐの正面方向に位置することから、相対的光強度は最大値（１００％）となる。更に、基準軸変位角θｓを「０度」から「マイナス」方向に変位した場合、つまりリモコン送信機４０をマイナス方向へ変位すると、光軸ＬＡＸが位置検出用受光素子３７ｐの正面方向からいっそう離れることから、相対的光強度は徐々に小さくなり、減衰する。
【０１１１】
また、光軸制御部６により発光素子１６の光軸ＬＡＸを変位位置Ｄ３に制御（変位）した状態（図１６参照）では、相対的光強度対基準軸変位角特性は曲線ＣＤ３で示すグラフのようになる。
【０１１２】
つまり、基準軸変位角θｓが「０度」の場合、位置検出用受光素子３７ｐが検出する受光信号（発光素子１６からの位置検出用光信号ＬＳｐに対する受光量）の相対的光強度は、５０％となる。また、基準軸変位角θｓを「０度」から「マイナス」方向に変位した場合、つまりリモコン送信機４０をマイナス方向へ変位すると、光軸ＬＡＸが位置検出用受光素子３７ｐの正面方向に近づくことから、相対的光強度は徐々に大きくなる。基準軸変位角θｓがマイナス「３０度」（半値角θｈ）の方向に変位すると、光軸ＬＡＸは位置検出用受光素子３７ｐの正面方向に位置することから、相対的光強度は最大値（１００％）となる。更に、基準軸変位角θｓを「０度」から「プラス」方向に変位した場合、つまりリモコン送信機４０をプラス方向へ変位すると、光軸ＬＡＸが位置検出用受光素子３７ｐの正面方向からいっそう離れることから、相対的光強度は徐々に小さくなり、減衰する。
【０１１３】
以上の相対的光強度対基準軸変位角特性から分かるように光軸ＬＡＸの変位位置（Ｄ１ないしＤ４）及び基準軸変位角θｓの変位状態に応じて、検出される相対的光強度が異なる。光軸ＬＡＸの変位位置は少なくとも２箇所が対称であれば、１次元の検出をすることができる。また、少なくとも４箇所が対称であれば、２次元の検出をすることができる。
【０１１４】
従って、相対的光強度対基準軸変位角特性を予め求めておき、発光素子１６の変位位置（例えば変位位置Ｄ１、Ｄ２、Ｄ３、Ｄ４）に対応（同期）させて位置検出用光信号ＬＳｐを発光出力させ、これに同期して位置検出用受光素子３７ｐに受光入力される相対的光強度を測定し、測定した相対的光強度の差、比、または差と比を用いて演算処理することにより、リモコン送信機４０（基準軸変位角θｓ）の変位状態（変位方向と基準軸変位角θｓ）を把握することができる。
【０１１５】
例えば、基準軸変位角θｓが水平・右側方向に３０度変位している場合、発光素子１６を変位位置Ｄ１とした状態では、相対的光強度は１００％として検出され、発光素子１６を変位位置Ｄ３とした状態では、相対的光強度は６％として検出される。相対的光強度の差（変位位置Ｄ１での相対的光強度１００−変位位置Ｄ３での相対的光強度６＝９４（％））、比（変位位置Ｄ１での相対的光強度１００／変位位置Ｄ３での相対的光強度６＝約１６．７）、または差と比を求めることにより、予め対応させてある基準軸変位角θｓの変位状態を把握することができる。つまり、ここでは、「基準軸ＢＡＸは水平・右側方向へ３０度変位している」ことを検出できる。
【０１１６】
上述の例では水平方向の場合について説明したが、垂直方向においても同様に基準軸変位角θｓを求めることができることは言うまでもない。また水平、垂直両方向に変位（全４方位での変位）した場合についても同様に基準軸変位角θｓの変位状態を求めることができることは言うまでもない。
【０１１７】
つまり、遠隔制御装置は、リモコン送信機４０の所定の変位位置（例えば変位位置Ｄ１、Ｄ２、Ｄ３、Ｄ４）に発光素子１６を順次変位させ、各変位位置で発光素子１６に発光用信号（例えば、ＬＥＤの場合には電流信号）を供給して位置検出用光信号ＬＳｐを発光出力させ、受光装置３の位置検出用受光素子３７ｐで受光入力した受光信号（相対的光強度出力レベル）を順次検出して、検出した受光信号を適宜演算処理することにより、基準軸変位角θｓの変位状態（変位方向と基準軸変位角θｓ）を検出する。
【０１１８】
なお、所定の変位位置Ｄ１、Ｄ２、Ｄ３、Ｄ４の変位の順番は予め特定しておくことにより各変位位置に対応する受光信号の検出は容易に行うことができる。また、各変位位置に対応する受光信号で相対的光強度が最大となったグラフから基準軸変位角θｓが最大の変位位置（主たる変位方向）を特定することができる。
【０１１９】
従って、本発明の電子機器は、基準軸変位角θｓを水平方向（第１方向）、垂直方向（第１方向と垂直に交差する第２方向）の両方向（平面座標上ＸＹ両方向）について求めることができる。基準軸変位角θｓの変位状態（変位方向と基準軸変位角θｓ）はそのままリモコン送信機４０の位置信号（移動方向と移動量）を表し、ひいてはポインタ４の位置信号に対応させることができるから、基準軸変位角θｓ（基準軸変位角θｓの変化）をポインタ４に対する指示信号（移動方向と移動量）としてマイクロコンピュータ（ＣＰＵ：中央演算処理装置）により処理することにより、ポインタ４の表示面（平面上）での移動（移動方向と移動量）を制御することができる。
【０１２０】
以上で、リモコン送信機４０を動かすことによりモニタ画面上のポインタを操作する方法についての原理的な説明を終了し、次に、この原理を利用して実際にモニタ画面上のポインタをリモコン送信機４０によって動かす処理動作の具体例を説明する。
【０１２１】
［具体例１］
リモコン送信機４０の動かし方とポインタの移動との関係としては、リモコン送信機４０を一度振り戻すことによってポインタを予め設定されている最小移動単位分だけ振った方向に動かすように構成することができる。図１９は、リモコン送信機４０の振り動作とポインタの移動との関係を分かりやすく説明する図である。ただし、リモコン送信機４０には、開始ボタン４０１が設けられているものとする。
【０１２２】
すなわち、図１９（ａ）に示すように、リモコン送信機４０をモニタに向けて開始ボタン４０１を１回押す（または、１回押して離す）。これにより、図１９（ｂ）に示すように、モニタ画面上のポインタ４の色が変わる。この後、ユーザは、リモコン送信機４０を例えば右方向に振って再び左方向に振るように１回振り戻すと、制御部３６は、その振り始めの方向（右方向）をポインタ４の移動方向と判断し、右方向から左方向への変化点を検出すると、図１９（ｃ）に示すように、ポインタ４を右方向に最小移動単位分だけ移動させる。これとは逆に、ユーザがリモコン送信機４０を左方向に振って再び右方向に振るように１回振り戻すと、制御部３６は、その振り始めの方向（左方向）をポインタ４の移動方向と判断し、左方向から右方向への変化点を検出すると、図１９（ｄ）に示すように、ポインタ４を左方向に最小移動単位分だけ移動させる。
【０１２３】
従って、ユーザは、このようなリモコン送信機４０の振り戻し動作を所定回数行うことによって、ポインタ４の移動量を自由に決定することができる。つまり、リモコン送信機４０の振り戻しの変化点の回数に応じてポインタ４の移動量を決定することができる。図２０は、このときのリモコン送信機４０の振り戻し動作に対するポインタの移動方向及び移動量の決定方法をイメージ的に示した説明図である。
【０１２４】
これにより、リモコン送信機４０の振り方向及び振り回数と、モニタ画面上のポインタ４の移動方向及び移動回数（移動距離）とが一致するため、ユーザはモニタ画面を見ながら直感的にポインタを操作することが可能となる。
【０１２５】
［具体例２］
リモコン送信機４０の動かし方とポインタの移動との関係としては、上記具体例１の他にも、リモコン送信機４０を振った方向に傾けた状態を一定時間保持することによって、モニタ画面上のポインタを傾けた方向に連続的に移動させるように構成することができる。図２１は、リモコン送信機４０の振り動作とポインタの移動との関係を分かりやすく説明する図である。ただし、リモコン送信機４０には、開始ボタン４０１が設けられているものとする。
【０１２６】
すなわち、図２１（ａ）に示すように、リモコン送信機４０をモニタ画面に向けて（正対させて）開始ボタン４０１を１回押す（または、１回押して離す）。これにより、同図（ｂ）に示すように、モニタ画面上のポインタ４の色が変わる。この後、ユーザは、リモコン送信機４０を正対位置から例えば右方向に傾けた状態で一定時間（例えば、０．５秒等）保持する。これにより、制御部３６は、その傾き方向（右方向）を移動方向と判断し、その状態が一定時間経過したことを確認すると、同図（ｃ）に示すように、ポインタ４を右方向に連続的に移動させる。この移動を停止する場合には、リモコン送信機４０の傾きを元に戻し、リモコン送信機４０をモニタ画面に正対させればよい。これとは逆に、ユーザがリモコン送信機４０を正対位置から左方向に傾けた状態で一定時間（例えば、０．５秒等）保持する。これにより、制御部３６は、その傾き方向（左方向）を移動方向と判断し、その状態が一定時間経過したことを確認すると、同図（ｄ）に示すように、ポインタ４を左方向に連続的に移動させる。この移動を停止する場合には、リモコン送信機４０の傾きを元に戻し、リモコン送信機４０をモニタ画面に正対させればよい。なお、ポインタ４を上下移動させたい場合には、同様にしてリモコン送信機４０を上方向または下方向に傾ければよい。これにより、ポインタの移動距離が長い場合の操作性を向上させることができる。また、ユーザは、モニタ画面を見ながら直感的にポインタを操作することが可能となる。
【０１２７】
本実施形態では、このようなポインタの操作方法を用いて、離れた位置にあるモニタ画面上のポインタを、リモコン送信機４０の空間上の任意な動きによってスピーディかつ直感的に動かすことで、以下に説明するさまざまな操作を容易に実現している。以下、実施例を挙げて説明する。
【実施例１】
【０１２８】
本実施例１は、リモコン送信機４０をモニタ画面に向けて所望する方向に振ることにより、モニタ画面上のポインタを移動させ、ドラッグアンドドロップによって機器の処理動作を実行させる実施例である。以下、図２２を参照して説明する。
【０１２９】
図２２に示すように、モニタ画面上にテレビ、ＨＤＤ内蔵型ＤＶＤレコーダ、パソコン、ビデオカメラなどの機器アイコン６１を配置し、さらにアナログ地上波放送、地上波デジタル放送、衛星放送等のコンテンツアイコン６２を配置する。そして、任意のコンテンツアイコン６２を任意の機器アイコン６１にドラッグアンドドロップすることで、ドロップされたアイコンに対応するアプリケーションを所定の態様で実行させる。ドラッグアンドドロップの方法は、例えばリモコン送信機４０にドラッグボタン（不図示）を設けておき、ポインタを所望のアイコン上に移動させてこのドラッグボタンを押す。そして、これを押しながらリモコン送信機４０自体を所望の方向に振って動かせばドラッグ動作になり、所定のアイコン上でドラッグボタンを離すとドラッグアンドドロップが完了するようにすればよい。
【０１３０】
例えば、ＤＶＤレコーダのＨＤＤ内のコンテンツをパソコンにコピーさせる場合、ＤＶＤレコーダのＨＤＤアイコン６１ａを上記の操作によりパソコンのアイコン６１ｂにドラッグアンドドロップすればよい。これにより、ＨＤＤ内の情報がパソコン内のメモリにコピーされる。すなわち、ドラッグするアイコンとドロップされるアイコンとの関係より操作内容が一義的に限定される場合は、ドロップが終われば即座に操作が開始されることになる。
【０１３１】
一方、ドラッグするアイコンとドロップされるアイコンとの関係より操作内容が複数ある場合には、次のようにすればよい。例えば、衛星放送のアイコン６２ａをテレビのアイコン６１ｃにドラッグアンドドロップすると、モニタ画面上に衛星放送のチャンネル一覧が表示６２ａ１されるので、ユーザがこの一覧表示から見たいチャンネルを選択すると、そのチャンネルの放送を受信するように構成すればよい。すなわち、操作が複数予測される場合のみ、操作を選択させるメニュー（上記の場合はチャンネル一覧）を表示させて、その中からユーザに選択させるようにすればよい。
【実施例２】
【０１３２】
本実施例２は、リモコン送信機４０をモニタ画面に向けて所望する方向に振ることにより、モニタ画面上のポインタを設定欄に移動させてドラッグアンドドロップすることによって機器の処理動作を実行させる実施例である。なお、ドラッグアンドドロップの方法は、上記実施例１と同様にドラッグボタンを押すことによって行うことができる。以下、図２３を参照して説明する。
【０１３３】
図２３に示すように、モニタ画面上にテレビ、ＨＤＤ内蔵型ＤＶＤレコーダ、パソコン、ビデオカメラなどの機器アイコン６１を配置し、また、アナログ地上波放送、地上波デジタル放送、衛星放送等のコンテンツアイコン６２を配置し、また、再生、録画、予約等の操作アイコン６３を配置し、さらに、モニタ画面上にコンテンツ欄６４ａ、機器欄６４ｂ、操作欄６４ｃの各設定欄６４を配置する。そして、任意のコンテンツアイコン６２をコンテンツ欄６４ａにドラッグアンドドロップし、次に任意の機器アイコン６１を機器欄６４ｂにドラッグアンドドロップし、最後に任意の操作アイコン６３を操作欄６４ｃにドラッグアンドドロップすることで、各欄６４ａ〜６４ｃにドロップされたアイコンの内容に従って、所定のアプリケーションを実行するものである。
【０１３４】
例えば、地上波デジタル放送のアイコン６２ｂをコンテンツ欄６４ａにドラッグアンドドロップし、ＨＤＤ内蔵型ＤＶＤレコーダのＨＤＤのアイコン６１ａを機器欄６４ｂにドラッグアンドドロップし、録画のアイコン６３ａを操作欄６４ｃにドラッグアンドドロップすることで、現在受信中の例えば地上波デジタル４ＣＨの番組を、ＨＤＤ内蔵型ＤＶＤレコーダのＨＤＤに、自動的に録画する処理を実行する。なお、コンテンツとしては、現在、将来のテレビのチャンネルや、すでに録画した番組、ビデオテープなどに録画した映像、ホームページのショートカットアイコンなどでもよい。また、操作に関しては、コンテンツと機器の関係で、それらを選んだ時点で自動的に決定されるものがあってもよい。
【実施例３】
【０１３５】
図２４は、リモコン送信機４０をモニタ画面に向けて所望する方向に振ることにより、モニタ画面上のポインタを所望のアイコン上まで移動させて選択することで、その選択操作に従って処理動作を実行させる実施例である。
【０１３６】
図２４に示すように、モニタ画面上にテレビ、ＨＤＤ内蔵型ＤＶＤレコーダ、パソコン、ビデオカメラなどの機器アイコン６１を配置し、また、アナログ地上波放送、地上波デジタル放送、衛星放送等のコンテンツアイコン６２を配置し、また、再生、録画、予約等の操作アイコン６３を配置し、さらに、モニタ画面上にコンテンツ欄６４ａ、機器欄６４ｂ、操作欄６４ｃの各設定欄を配置する。そして、任意のコンテンツアイコン６２上にポインタを移動させて選択し、次に任意の機器アイコン６１上にポインタを移動させて選択し、任意の操作アイコン６３上にポインタを移動させて選択することで、上記各欄６４ａ〜６４ｃに各アイコンが設定され、この設定された各アイコンの内容に従って、所定のアプリケーションを実行するものである。
【０１３７】
例えば、リモコン送信機４０に選択ボタン（不図示）を設けておき、地上波デジタル放送のアイコン６２ｂ上までポインタを移動させて選択ボタンを押すと、コンテンツ欄６４ａに現在受信中の「地上波デジタル４ＣＨの番組」が設定され、次にＨＤＤ内蔵型ＤＶＤレコーダのＨＤＤのアイコン６１ａ上までポインタを移動させて選択ボタンを押すと、機器欄６４ｂに「ＤＶＤレコーダのＨＤＤ」が設定され、次に録画のアイコン６３ａ上までポインタを移動させて選択ボタンを押すと、操作欄６４ｃに「録画」が設定される。これにより、各欄６４ａ〜６４ｃに設定されたアイコンの内容に従って、地上波デジタル４ＣＨの番組を、ＨＤＤ内蔵型ＤＶＤレコーダのＨＤＤに、自動的に録画する処理を実行する。
【実施例４】
【０１３８】
本実施例４は、モニタ画面上に１または複数の家電機器のアイコンが表示されており、その中から任意の家電機器のアイコンが選択されると、その設置位置がモニタ画面の間取り図上に表示され、その中から操作したい家電機器アイコンを選択する実施例である。以下、図２５を参照して説明する。
【０１３９】
通信に関しては、将来的に住宅において複数存在する機器、例えば照明やエアコン、テレビ、窓や扉などがＤＬＡＮ(Digital Living Network Alliance)や電力線通信で接続されて、それらがテレビをモニタとして遠隔操作できるようになることが予想される。この場合、操作したい家電機器の特定の１台を選択する場合に、実際の間取り上で位置を確認するのが最も分かりやすい。それ以外の方法で特定しようとすると、例えば「２階南側子供部屋の西側の窓」とか「２階南側寝室ベッド脇のスタンド」など、設置場所と機器を説明しなければ操作対象を特定できず、直感的ではなく判りにくい。本実施例４は、このような操作を直感的に行えるようにするものである。この場合、間取り図は、例えば住宅メーカから提供してもらってもよいし、自分で作成してもよい。また、機器接続用ポートの配置設定やアドレス設定は、家庭内ネットワークの構築を依頼する業者等が行ってもよい。
【０１４０】
図２５（ａ）に示すように、例えばモニタ画面の右横隅に表示されている複数の家電機器の中から所望する家電機器を選択すると、同じモニタ画面の左側に間取り図が表示され、その間取り図上に家電機器の設置場所（図中の黒塗り部分）が表示される。従って、ユーザは、この間取り図上に表示された家電機器の中から所望する家電製品の設置場所の上までポインタ４を移動させて選択すると、モニタ画面には図２５（ｂ）に示すように、その選択された家電機器の操作画面が表示されるので、ユーザは、その操作画面に従って、操作内容を順次設定してゆけばよい。
【実施例５】
【０１４１】
図２６は、本実施例５の処理動作を説明する説明図である。本実施例５では、リモコン送信機４０に、前後方向に傾倒しかつ真下に押すことができるレバー４０２を設けておき、このレバー４０２を真下に押すことで拡大中心を特定し、その後レバー４０２を前方向または後方向に倒すことで画面表示を拡大または縮小させるように構成している。このような構成とすれば、例えば図２６（ａ）に示すように、細かな文字を見る場合や字が小さくて見えにくい場合等に、リモコン送信機４０のレバー４０２を真下に押して拡大中心特定し、この状態でレバー４０２を例えば前方向（図面では上方向）に倒すことで、図２６（ａ）中右側に示すように、必要な領域を拡大して文字を見易くすることができる。また、テレビでパソコンのＷｅｂ画面を見るような場合に、小さな文字で書かれた文章もあるので、このような場合にも必要な領域を拡大することができる。
【０１４２】
さらに、図２６（ｂ）に示すように、Ｗｅｂで地図を見ているときに拡大したり縮小したりする場合も同様であって、リモコン送信機４０のレバー４０２を真下に押して拡大中心特定し、この状態でレバー４０２を例えば前方向に倒すことで、図２６（ｂ）中右側に示すように、必要な領域を拡大して地図を見易くすることができる。
【実施例６】
【０１４３】
本実施例６は、上記のリモコン送信機４０のレバー４０２を使って、モニタ画面上の操作対象機器を切り換える実施例である。すなわち、このレバー４０２を使って、テレビに接続された機器、例えばＤＶＤレコーダ、デジタルカメラ、ゲーム機、地上波放送、衛星放送、ＰＣなどに操作画面を切り換える。この場合、図２７に示すように、モニタ画面内のポインタの移動はリモコン送信機４０を上下左右に振って行い、操作画面の切り換えをレバー４０２で行なう。具体的には、例えばモニタ画面にＢＳ操作画面が表示されている状態で、レバー４０２を前方向に１回倒すと地上波デジタル操作画面に切り換わり、さらにレバー４０２を前方向に１回倒すと地上波デジタル操作画面からＨＤＤ操作画面に切り換わり、さらにレバー４０２を前方向に１回倒すとＨＤＤ操作画面からＤＶＤ操作画面に切り換わる。そして、さらにレバー４０２を前方向に１回倒すとＤＶＤ操作画面から再びＢＳ操作画面に切り換わる。一方、レバー４０２を後方向に倒すと、上記とは逆の順序で操作画面が順次切り換わるようになっている。なお、このような操作画面の切り換え順は予め設定されているものとする。
【０１４４】
このように、機器別のコンテンツを、レバー４０２の操作によって画面単位で切り換えることで、膨大なタイトルを一覧で表示して、その中から必要なものを選択できるようにすることができる。これにより、選択に必要な操作数を少なくすることができる。
【０１４５】
図２８（ａ）は、上記レバー４０２の代わりに、リモコン送信機４０に搭載されている十字キー４０３を利用する変形実施例である。すなわち、レバー４０２の前後の動作を、十字キー４０３の上方向キーと下方向キーとに割り当てることで、レバー４０２が無くても上記操作画面の切り換えを同様にして行うことができる。この場合には、レバー４０２がいらないので、リモコン送信機４０のキー数を減らすことが可能となる。
【０１４６】
一方、図２８（ａ）に示す構成とすれば、キー数を減らすことはできるが、十字キー４０３を用いてモニタ画面上のポインタを上下に移動させる操作と、上記操作画面の切り換え操作とが同じ操作となり、操作感の区別が無くなる可能性がある。その場合には、図２８（ｂ）に示すように、リモコン送信機４０に十字キー４０３とレバー４０２とを両方設ければよい。すなわち、モニタ画面上のポインタの移動は十字キー４０３によって行い、操作画面の切り換えはレバー４０２によって行うようにすればよい。
【実施例７】
【０１４７】
本実施例７は、上記図２６に示すリモコン送信機４０のレバー４０２を使って、操作対象機器の操作メニュー画面を切り換える実施例である。例えば、録画済み番組の検索条件切り替えの場合、このレバー４０２を前方向または後方向に倒すことで、「日付順」、「タイトル順」、「ジャンル順」のように並べ替えたり、スクロールを昇順にしたり降順にしたりできる。これは容量が非常に大きくなって録画できる番組数が膨大になっている現在のハードディスクレコーダで、自分が見たい番組を探し出すのに非常に便利である。例えば、ＣＡＴＶなどの膨大なチャンネルの中から見たい番組を選択する場合、このレバー４０２を倒すことで「チャンネル視聴頻度順」、「タイトル順」、「ジャンル順」のように並べ替えたり、スクロールを昇順にしたり降順にしたりできる。
【実施例８】
【０１４８】
本実施例８は、リモコン送信機４０を左右方向または上下方向の一方向に振ることにより受信チャンネルのアップダウンを切り換えるとともに、リモコン送信機４０を前記一方向とは異なる他方向に振ることにより音量のアップダウンを制御する実施例である。具体的には、リモコン送信機４０の動き初めの方向が上方向である場合には、リモコン送信機４０の移動方向の変化点で、音量を１段階増加させる。また、リモコン送信機４０の動き初めの方向が下方向である場合には、リモコン送信機４０の移動方向の変化点で、音量を１段階減少させる。図２９（ａ）はこの様子を示している。
【０１４９】
一方、リモコン送信機４０の動き初めの方向が左方向である場合には、リモコン送信機４０の移動方向の変化点で、受信チャンネルをダウン方向（小ＣＨ方向）に１つ切り換える。また、リモコン送信機４０の動き初めの方向が左方向である場合には、リモコン送信機４０の移動方向の変化点で、受信チャンネルのアップ方向（大ＣＨ方向）に１つ切り換える。図２９（ｂ）はこの様子を示している。
【０１５０】
このようにすれば、リモコン送信機４０を見て必要なボタンを探さなくても音量の調整やチャンネルのアップダウンが可能となる。
【実施例９】
【０１５１】
本実施例９は、リモコン送信機４０を前後方向に移動させることによりモニタ画面上の画面操作方法を切り換える実施例である。リモコン送信機４０の前後方向の移動の検出は、例えば等方的な指向性を持つ発光素子をリモコン送信機４０に搭載し、その光の受光量で行うことができる。この場合、リモコン送信機４０の向きが変わっても光量はあまり変化せず、受光検出部３７との距離が変わったときのみ変化が生じるので、向きの変化と距離の変化を区別することができる。
【０１５２】
図３０は、本実施例９の具体例を示している。
【０１５３】
同図（ａ１）に示す通常モード、すなわち、受信中のチャンネルの音量変更やチャンネル変更モード状態において、例えば上記実施例８に示すリモコン送信機４０の操作（図２９参照）が行われると、その操作に従って同図（ａ２）に示すように音量が変更され、同図（ａ３）に示すようにチャンネルが切り換えられる。
【０１５４】
一方、同図（ａ１）に示す状態で、リモコン送信機４０を前後に１回振ると、同図（ｂ１）に示す入力変更モードとなる。そして、この入力変更モード状態において、上記実施例６に示すリモコン送信機４０の操作（図２７参照）が行われると、予め設定された順序に従って、画面操作方法を切り換える。本実施例９では、上記実施例６と同様に操作対象機器を切り換える例を示している。すなわち、上記実施例６に示すリモコン送信機４０の操作が行われるたびに、モニタ画面は、同図（ｂ１）に示す地上波ＴＶから同図（ｂ２）に示すビデオ１、同図（ｂ２）に示すビデオ１から同図（ｂ３）に示すビデオ２、同図（ｂ３）に示すビデオ２から衛星放送（不図示）、・・・、といった具合に、予め設定された順序で切り換わる。この後、リモコン送信機４０を前後に１回振ると、同図（ｃ）に示すようにその時点でモニタ画面に表示されている操作対象機器の状態で、フリーポインティングモードとなり、この状態でさらにリモコン送信機４０を前後に１回振ると、再び通常モードに移行する。ここで、フリーポインティングモードとは、マウスカーソルのように画面上を隈なく自由自在にポインタを動かせるモードのことである。
【実施例１０】
【０１５５】
本実施例１０は、図１に示すように、外部接続端子群３９の一つの端子３９ｎに、テレビ電話回線等の通信ネットワークＮを通じて相手側のネットワークカメラ（カメラ装置）が接続された構成を前提とした実施例である。
【０１５６】
すなわち、モニタ画面に向かってリモコン送信機４０を左右方向または上下方向に振ることにより、リモコン送信機４０の向きを検出する検出信号を外部接続端子３９ｎからテレビ電話回線等を通じて相手側に送信することで、相手側のネットワークカメラの向きを左右方向または上下方向に移動可能としたものである。
【０１５７】
図３１及び図３２は、本実施例１０の電子機器の使用態様の一例を示している。図３１では、単身赴任中の夫婦が本実施例１０の電子機器を利用したテレビ電話システムを使って会話（通信）している様子を示している。単身赴任先の夫は、妻の手料理を見るために、リモコン送信機４０Ａを振って、ネットワークカメラ５０Ｂを妻の顔の部分から手元の部分に移動させており、一方、自宅の妻の方は、単身赴任先の部屋の様子を見るために、リモコン送信機４０Ｂを振ってネットワークカメラ５０Ａを回転させている。
【０１５８】
また、図３２では、本実施例１０の電子機器を利用したテレビ電話システムを使って、遠隔地の友達に留守宅の監視を依頼した場合を示している。友達は、自宅でテレビを視聴しているときに、テレビ画面の隅部に表示されている留守宅のネットワークカメラ５０Ｄの撮影画像の中に動く物体を発見した場合に、リモコン送信機４０Ｃを振って、留守宅のネットワークカメラ５０Ｄを動く物体の方向に移動させている。
【０１５９】
なお、図３１及び図３２に示す使用態様はほんの一例であり、このような使用態様に限定されるものではない。また、本実施例１０は、テレビ電話システムに用いられているネットワークカメラだけでなく、防犯カメラや監視カメラ等にも応用することができる。
【図面の簡単な説明】
【０１６０】
【図１】ドラッグアンドドロップ機能を備えた本発明の電子機器の一実施形態であるテレビジョン受像機の基本構成を示すブロック図である。
【図２】本発明に係る遠隔操作装置とモニタの要部概略構成の一実施形態を示す説明図である。
【図３】本発明の動作原理を説明する原理説明図であり、遠隔操作装置の光学式指示装置及び受光装置（位置検出用受光素子）を概念的に示す図である。
【図４】本発明の動作原理を説明する原理説明図であり、位置検出用受光素子が検出した位置検出用光信号（受光信号）の相対的光強度と基準軸変位角との相関を相対的光強度対基準軸変位角特性として示すグラフである。
【図５】本発明に係る遠隔操作装置の光学指示装置での発光用パルス信号の波形例を示す波形図である。
【図６】本発明に係る遠隔操作装置での受光装置の回路構成の実施例を示すブロック図である。
【図７】本発明に係る遠隔操作装置とモニタの要部概略構成の他の実施形態を示す説明図である。
【図８】（ａ）及び（ｂ）はＰＳＤをそれぞれ示す正面図である。
【図９】本発明に係る遠隔操作装置での受光装置の回路構成の他の実施例を示すブロック図である。
【図１０】ＰＳＤの構造と動作原理を示す断面図である。
【図１１】ＰＳＤを用いて光学的操作装置の位置を検出し、画面上のポインタを動かす状態を示す概略図である。
【図１２】（ａ）及び（ｂ）は、光学的操作装置と画面の距離によって、画面上のポインタの移動距離が変化する状態をそれぞれ示す平面図である。
【図１３】（ａ）及び（ｂ）は、本発明に係る遠隔操作装置の光学式指示装置（位置検出用の発光素子）の変位位置の態様を説明する説明図である
【図１４】（ａ）及び（ｂ）は、本発明に係る遠隔操作装置の光学式指示装置（位置検出用の発光素子）の変位位置の態様を説明する説明図である
【図１５】（ａ）及び（ｂ）は、本発明に係る遠隔操作装置の光学式指示装置（位置検出用の発光素子）の変位位置の態様を説明する説明図である
【図１６】（ａ）及び（ｂ）は、本発明に係る遠隔操作装置の光学式指示装置（位置検出用の発光素子）の変位位置の態様を説明する説明図である
【図１７】（ａ）及び（ｂ）は、本発明に係る遠隔操作装置の光学式指示装置（位置検出用の発光素子）の変位位置の態様を説明する説明図である
【図１８】本発明に係る遠隔操作装置の基準軸変位角を検出する原理を説明するための説明図であり、位置検出用受光素子が検出した位置検出用光信号（受光信号）の相対的光強度と基準軸変位角との相関を相対的光強度対基準軸変位角特性として示すグラフであ
【図１９】本発明に係わる遠隔操作装置を振って操作するリモコンの原理を説明する説明図である。
【図２０】本発明に係わる遠隔操作装置を振って操作するリモコンの原理を説明する説明図である。
【図２１】本発明に係わる遠隔操作装置を振って操作するリモコンの原理を説明する説明図である。
【図２２】本発明に係わる遠隔操作装置を用いてテレビに接続された機器の操作を行う実施例１の説明図である。
【図２３】本発明に係わる遠隔操作装置を用いてテレビに接続された機器の操作を行う実施例２の説明図である。
【図２４】本発明に係わる遠隔操作装置を用いてテレビに接続された機器の操作を行う実施例３の説明図である。
【図２５】本発明に係わる遠隔操作装置を用いてテレビに接続された機器の操作を行う実施例４の説明図である。
【図２６】本発明に係わる遠隔操作装置を用いてテレビに接続された機器の操作を行う実施例５の説明図である。
【図２７】本発明に係わる遠隔操作装置を用いてテレビに接続された機器の操作を行う実施例６の説明図である。
【図２８】（ａ）は、画面表示の拡大、縮小を行うためにリモコンに搭載するレバーの説明図、（ｂ）は、画面表示の拡大、縮小を行うためにリモコンに搭載する十字キーとレバーの説明図である。
【図２９】本発明に係わる遠隔操作装置を上下に振って音量を調整し、左右に振ってチャンネルを変える実施例８の説明図である。
【図３０】本発明に係わる遠隔操作装置を前後に振って操作方法を切り替える実施例９の説明図である。
【図３１】本発明に係わる遠隔操作装置を振って相手側のカメラを操作するテレビ電話システムの説明図である。
【図３２】本発明に係わる遠隔操作装置を振って相手側のカメラを操作するテレビ電話システムの説明図である。
【符号の説明】
【０１６１】
４  ポインタ（カーソル）
３１  アンテナ
３２  チューナ部
３３  信号処理部
３４  モニタ
３５  スピーカ
３６  制御部
３７  受光検出部
３８  データ記憶部
３９  外部接続端子群
４０（４０ａ，４０ｂ，４０Ａ，４０Ｂ，４０Ｃ）  リモコン送信機
４０１  開始ボタン
４０２  レバー
４０３  十字キー
６１  機器アイコン
６１ａ  ＨＤＤのアイコン
６１ｂ  パソコンのアイコン
６１ｃ  テレビのアイコン
６２  コンテンツアイコン
６２ａ  衛星放送のアイコン
６２ｂ  地上波デジタル放送のアイコン
６３  操作アイコン
６３ａ  録画のアイコン
６４  設定欄
６４ａ  コンテンツ欄
６４ｂ  機器欄
６４ｃ  操作欄
５０Ａ，５０Ｂ，５０Ｃ，５０Ｄ  ネットワークカメラ
Ｎ  通信ネットワーク
【図１】
2007104567.tif 000003
【図２】
2007104567.tif 000004
【図３】
2007104567.tif 000005
【図４】
2007104567.tif 000006
【図５】
2007104567.tif 000007
【図６】
2007104567.tif 000008
【図７】
2007104567.tif 000009
【図８】
2007104567.tif 000010
【図９】
2007104567.tif 000011
【図１０】
2007104567.tif 000012
【図１１】
2007104567.tif 000013
【図１２】
2007104567.tif 000014
【図１３】
2007104567.tif 000015
【図１４】
2007104567.tif 000016
【図１５】
2007104567.tif 000017
【図１６】
2007104567.tif 000018
【図１７】
2007104567.tif 000019
【図１８】
2007104567.tif 000020
【図１９】
2007104567.tif 000021
【図２０】
2007104567.tif 000022
【図２１】
2007104567.tif 000023
【図２２】
2007104567.tif 000024
【図２３】
2007104567.tif 000025
【図２４】
2007104567.tif 000026
【図２５】
2007104567.tif 000027
【図２６】
2007104567.tif 000028
【図２７】
2007104567.tif 000029
【図２８】
2007104567.tif 000030
【図２９】
2007104567.tif 000031
【図３０】
2007104567.tif 000032
【図３１】
2007104567.tif 000033
【図３２】
2007104567.tif 000034